(57)【要約】      （修正有）【課題】包括的には、表示システムに関し、特に、スポーツ競技用の表示システムを提供する。【解決手段】  表示システムは、競技面に埋め込まれる表示素子を含む。表示素子は競技面に画像又は映像を表示するように構成される。競技面は、サッカー競技場、フットボール競技場、ラグビー競技場、野球場、陸上競技場、競馬場、テニスコート、バスケットボールコート、舞台、及びそれらの組み合わせであることができる。【選択図】図１Ａ
2007058214.tif 000002
【特許請求の範囲】
【請求項１】
水平な競技面に埋め込まれ、前記競技面に画像を表示するように構成された複数の表示素子を備える、表示システム。
【請求項２】
前記競技面は、サッカー競技場、フットボール競技場、ラグビー競技場、野球場、陸上競技場、競馬場、テニスコート、バスケットボールコート、舞台、及びそれらの組み合わせから成る群から選択される、請求項１に記載の表示システム。
【請求項３】
前記複数の表示素子は競技面の一部に埋め込まれる、請求項１に記載の表示システム。
【請求項４】
前記競技面はアウトオブバーンズエリアを含む、請求項１に記載の表示システム。
【請求項５】
前記表示素子はそれぞれ、基板上に配置される発光体アレイをさらに備える、請求項１に記載の表示システム。
【請求項６】
前記発光体は異なる色から成る、請求項５に記載の表示システム。
【請求項７】
前記複数の表示素子の上方の水平面に配置される透明支持板と、
前記支持板上に配置される半透明の人工芝と
をさらに備える、請求項１に記載の表示システム。
【請求項８】
前記表示素子はそれぞれ、前記表示素子を固定するスパイクを含む、請求項１に記載の表示システム。
【請求項９】
前記スパイクはそれぞれ、ヒートシンクとしての役割を果たす、請求項８に記載の表示システム。
【請求項１０】
前記表示素子はそれぞれ、前記複数の表示素子の上方の水平面に配置される土層及び草を通して光を導く光導体を含む、請求項１に記載の表示システム。
【請求項１１】
選択された表示素子は無線周波数識別リーダを含む、請求項１に記載の表示システム。
【請求項１２】
前記複数の表示素子は連結するタイルの形態である、請求項１に記載の表示システム。
【請求項１３】
電流を前記表示素子に選択的に供給する手段をさらに備える、請求項１に記載の表示システム。
【請求項１４】
前記複数の表示素子は起動されるとフィールドマーキングを示す、請求項１に記載の表示システム。
【請求項１５】
前記フィールドマーキングを示すことは動的に行われる、請求項１４に記載の表示システム。
【請求項１６】
前記複数の表示素子は任意の画像を描写する、請求項１に記載の表示システム。
【請求項１７】
前記複数の表示素子は持続的な画像を提供するリン光である、請求項１に記載の表示システム。
【請求項１８】
前記複数の表示素子はスタジアムの光と同期する、請求項１に記載の表示システム。
【請求項１９】
複数の表示素子を水平な競技面に埋め込むこと、及び
電力を前記複数の表示素子に選択的に供給することによって前記競技面に画像を描写すること
を含む、画像を表示する方法。
【請求項２０】
画像シーケンスを映像として描写することをさらに含む、請求項１９に記載の画像を表示する方法。
【請求項２１】
画像を水平な競技面上にオーバーレイするように構成される複数の表示素子を備える、表示システム。
【発明の詳細な説明】
【技術分野】
【０００１】
本発明は、包括的には、表示システムに関し、特に、スポーツ競技用の表示システムに関する。
【背景技術】
【０００２】
スポーツ競技を行うためのスタジアム、アリーナ、及び他の開催場所では、長い特徴的なスコアボード、及び他のディスプレイを備えている。これらのディスプレイは、観客がスポーツ競技及び他の関連する競技の経過を追跡する手助けとなっている。初期の頃には、ナンバープラカードが手動で掲示板に掲げられた。時の経過と共に、これらのシステムは、最初は機械システムによって、そして後に電子システムによって、次第に自動化されるようになった。しかし、初期の頃においてさえ、非常に多くの観客がスコアボードを見るので、それが宣伝のためには絶好の場所であり、かくして収益源となることは分かっていた。
【０００３】
時の経過と共に、電子スコアボードは画像及び映像を表示する能力を有するように発展してきた。このことにより、より複雑な宣伝が可能になり、且つ、選手のクローズアップ、プレー直後のビデオ再生、選手の情報、グラフィック効果等を表示することにより観客にとっての競技での体験度が高まる。今や、主要なスポーツ開催場所では精巧な電子サイン（electronic signature）を伴うのが標準的である。
【０００４】
電子サインの主な限界はその物理的なサイズにある。サインが年月を経てますます大きくなっても、その根本的なサイズは利用可能な空間の量により制限される。大きなサインであっても、それは開催場所での大半の位置から見える視野のほんの一部分にわたるにすぎないのが実際の現実である。さらに悪いことには、サインがゲームの動き（game action）、例えばフィールド又はフロアから離れているため、観客はディスプレイを見るためには動きから目を逸らさなければならない。
【０００５】
同時に、スポーツ競技におけるテレビがカバーすることがますます緻密化している。視聴者が理解し且つ楽しむことを手助けするために、コメンテータが競技場の画像に注釈を加えることができるようなシステムが開発されている。技術の進歩と共に、アメリカンフットボールの試合における「バーチャル」ファーストダウンライン、及びテニスの試合におけるボールの軌跡を付加すること等、より緻密化した注釈を加えることが可能になった。観客は、テレビによるゲームのカバー内容がこのように向上することを期待するようになっているが、自らがスポーツ競技を見に行く際にはそのようなものはない。
【発明の開示】
【発明が解決しようとする課題】
【０００６】
明らかに、これらの制限を克服する表示システムを有することが望まれる。
【課題を解決するための手段】
【０００７】
表示システムは、競技面に埋め込まれる表示素子を含む。表示素子は競技面に画像又は映像を表示するように構成される。競技面は、サッカー競技場、フットボール競技場、ラグビー競技場、野球場、陸上競技場、競馬場、テニスコート、バスケットボールコート、舞台、及びそれらの組み合わせであり得る。
【発明を実施するための最良の形態】
【０００８】
［システム構造］
図１Ａは、スタジアム１０１に関する、本発明の一実施の形態による表示システム１００の１つの構成を示す。表示システム１００は、競技面１０１に一体化され、競技面１０１にわたって延びる。表示エリアを競技面の一部に制限することができることは留意すべきである。対照的に、図１Ｂは、競技面の周囲の「アウトオブバーンズ（out-of-bounds）」エリアのみにおける表示システム１００を示す。
【０００９】
図２は、表示システムの一部の断面側面図を示す。ディスプレイは、競技面に埋め込まれる表示素子２００を含む。素子はそれぞれ、基板、例えば回路基板２０２上に配置される発光体アレイ２０１を含む。回路基板は発光体に機械的接続及び電気的接続を提供する。発光体は、例えば赤、緑、及び青（ＲＧＢ）の着色光を放出し、あらゆる範囲の色を提供することができる。発光体は白熱光又はＬＥＤ等の固体発光体であってもよい。代替的に、発光体は持続的な（persistent）画像を提供するリン光であってもよい。
【００１０】
表示素子はスタジアムの光と同期して、コントラストを改善し、注意を向かせ、且つ電力要求を最小にすることができる。
【００１１】
発光体の規模がかなり大きいため、発光体は数センチメートル置きに間隔を開けて配置されることができ、それでも依然として従来の表示システムと同等の解像度を有することに留意すべきである。
【００１２】
発光体２０１の上方の水平面には透明支持板２０３が配置される。支持板は半透明の人工芝２０４に機械的な支持を提供する。
【００１３】
全体の構造はスパイク２０５によってグラウンドに固定される。スパイク２０５はヒートシンクとしての役割も果たす。熱管理を改善するために、液体冷却システム２０６を使用することができる。オプションの排水路２０７が、フィールドから水を流し出すための経路を提供する。
【００１４】
図３は、本発明の代替としての一実施の形態の表示素子３００の断面側面図を示す。この構成では、人工芝の代わりに草が用いられる。この場合、透明支持板は草３０３が生える土層３０２で覆われる。光導体３０１が発光体からの光を地表に導く。これらの光導体は地表からほんのわずかに突出しており、物理的応力に耐えるように選択される、半透明又は透明で、可撓性があるが頑丈な材料から作成される。
【００１５】
使用条件を緩和するために、表示素子２００及び３００は相互接続するタイルとして配置される。これらのタイルは個別に交換することができる。
【００１６】
いくつかの応用形態については、選手及び試合の備品、例えばボールの位置を突き止めることが有用であろう。この目的のために、選択された素子は、無線周波数識別（ＲＦＩＤ）リーダ２１０、又は他のタイプのセンサを含むことができる。
【００１７】
素子は、電源及び通信のためにネットワーク２２０に接続される。
【００１８】
図４は、バスケットボールコート、舞台、及びアイススケート場等の硬い表面上で使用される、本発明の断面側面図を示す。この場合には、芝のようなものは必要ない。屋内の用途では、排水の必要はないため、排水路２０７は設けられておらず、発光体がより近接して配置されている。
【００１９】
［システム動作］
システム１００の動作中、電流が選択的に光素子に供給され、画像又は映像を描写する。表示システムは競技面の一体部分であるため、表示される画像により、スポーツ競技での観客の体験度を高めることができる。例えば、アメリカンフットボールのファーストダウンライン等の注釈は、こうして競技面に直接表示することができる。チームのロゴを該当するサイドに表示することができる。スコア、プレーの方向、選手の情報、時計、ペナルティもまたフィールド（公式の競技面における、境界線の中または外のいずれか）に表示することができる。賞賛的なグラフィックにより重要な瞬間を強調することができ、且つ選手を追跡することによって当該グラフィックを選手に合わせて動かすことができる。
【００２０】
同じスポーツ開催場所が、サッカー、フットボール、野球、ラクロス、ラグビー、陸上競技等の異なるスポーツ競技に使用されることが多い。これに加えて、同じフィールドが通常の季節毎の試合、及び「大学フットボール選抜」試合等の特別な競技に使用されることもある。従来技術では、フィールドは異なる競技毎に境界線を引き直す（remark）必要があった。それには時間、金銭、及び材料が要求される。説明したような表示システムを用いることにより、フィールドマーキングを瞬間的に変更することができる。
【００２１】
本発明の精神及び範囲を維持しつつ、多くの可能な変形があることに留意すべきである。これは、バスケットボールコート、テニスコート、競馬場、舞台等の、異なる表面を有する他の開催場所での使用を含むであろう。氷は既にかなり透明であるため、アイススケート場は特に適している。
【００２２】
迷路ゲーム、又は領土ゲーム等、全く新しいジャンルの高度な対話型ゲームを可能にするため、フィールドマーキングを動的に変更することができることに留意すべきである。画像シーケンスを表示することができることにも留意すべきである。
【００２３】
表示素子は、周囲光の状態及びフィールド上の物体の動きに適応することができることにも留意すべきである。
【００２４】
本発明を、好適な実施の形態の例として説明してきたが、本発明の精神及び範囲内で、様々な他の適応及び変更が行われてもよいことは理解されたい。したがって、添付の特許請求の範囲の目的は、本発明の真の精神及び範囲内に入るこのような全ての変形及び変更を網羅することである。
【図面の簡単な説明】
【００２５】
【図１Ａ】本発明の一実施の形態による表示システムの上面図である。
【図１Ｂ】本発明の別の実施の形態による表示システムの上面図である。
【図２】本発明の一実施の形態による表示システムの一部の側面図である。
【図３】本発明の一実施の形態による表示素子の側面図である。
【図４】本発明の別の実施の形態による表示素子の側面図である。
【図１Ａ】
2007058214.tif 000003
【図１Ｂ】
2007058214.tif 000004
【図２】
2007058214.tif 000005
【図３】
2007058214.tif 000006
【図４】
2007058214.tif 000007
【外国語明細書】
2007058214.tif 000008
2007058214.tif 000009
2007058214.tif 000010
2007058214.tif 000011
2007058214.tif 000012
2007058214.tif 000013
2007058214.tif 000014
2007058214.tif 000015
2007058214.tif 000016
2007058214.tif 000017
2007058214.tif 000018
2007058214.tif 000019
2007058214.tif 000020